(57)【要約】【課題】短時間で焼き付き現象を解消し、良好な表示を行うことができるようにする。【解決手段】撮像手段と、液晶パネルとバックライトとを有し、前記撮像手段より出力された画像信号と、所定の付加情報とを合成して前記液晶パネルに表示する表示手段と、前記画像信号と付加情報とを前記液晶パネルに表示している状態から、前記画像信号と前記付加情報とを共に表示しない状態に切り替えられた場合に、前記バックライトを消灯させ、前記バックライトを消灯させた状態で、所定時間、グレー画像に応じた透過率となるように前記液晶パネルの液晶素子を均一に駆動させ、その後、前記液晶パネルの駆動を停止する制御手段とを備える。【選択図】図２
2017130879.tif 000002
【特許請求の範囲】
【請求項１】
撮像手段と、
液晶パネルとバックライトとを有し、前記撮像手段より出力された画像信号と、所定の付加情報とを合成して前記液晶パネルに表示する表示手段と、
前記画像信号と付加情報とを前記液晶パネルに表示している状態から、前記画像信号と前記付加情報とを共に表示しない状態に切り替えられた場合に、前記バックライトを消灯させ、前記バックライトを消灯させた状態で、所定時間、グレー画像に応じた透過率となるように前記液晶パネルの液晶素子を均一に駆動させ、その後、前記液晶パネルの駆動を停止する制御手段とを備えることを特徴とする撮像装置。
【請求項２】
前記制御手段は、前記所定時間、グレー画像に応じた透過率となるように前記液晶パネルの表示範囲を均一に駆動させた後、前記液晶パネルの駆動を停止することを特徴とする請求項１に記載の撮像装置。
【請求項３】
前記制御手段は、前記バックライトを消灯させた状態で、前記所定時間、白５０％のグレー画像に対応する透過率となるように前記液晶パネルを均一に駆動させることを特徴とする請求項１に記載の撮像装置。
【請求項４】
前記液晶パネルに表示させる白レベルと表示時間は、事前に測定し取得した焼き付き現象の消失時間が最短となる白レベルと消失時間により決定することを特徴とする請求項１〜３の何れか１項に記載の撮像装置。
【請求項５】
前記液晶パネルはカメラ本体に対して開閉自在に取り付けられており、
前記制御手段は、前記液晶パネルがカメラ本体側に閉じられた場合に、前記バックライトを消灯させ、前記バックライトを消灯させた状態で、所定時間、グレー画像に応じた透過率となるように前記液晶パネルの液晶素子を均一に駆動させ、その後、前記液晶パネルの駆動を停止することを特徴とする請求項１〜４の何れか１項に記載の撮像装置。
【請求項６】
撮像工程と、
液晶パネルとバックライトとを有し、前記撮像工程において出力された画像信号と、所定の付加情報とを合成して前記液晶パネルに表示する表示工程と、
前記画像信号と付加情報とを前記液晶パネルに表示している状態から、前記画像信号と前記付加情報とを共に表示しない状態に切り替えられた場合に、前記バックライトを消灯させ、前記バックライトを消灯させた状態で、所定時間、グレー画像に応じた透過率となるように前記液晶パネルの液晶素子を均一に駆動させ、その後、前記液晶パネルの駆動を停止する制御工程とを備えることを特徴とする撮像装置の制御方法。
【発明の詳細な説明】
【技術分野】
【０００１】
本発明は、撮像装置及び撮像装置の制御方法に関し、特に、撮影された画像やその他の画像の表示に関する。
【背景技術】
【０００２】
従来、ビデオカメラなどの撮像装置においては、撮影された画像やメニューなどを表示するための液晶パネルを備える。液晶パネルは、一定方向に偏向した光のみを通過させる２枚の偏向板、電圧が印加されることにより分子の配列を変える液晶、液晶に電圧を印加するための透明電極、液晶パネルの背後から液晶パネルを照射するバックライト等によって構成される。そして、液晶パネルにおける各画素を構成するドットごとに電圧を制御することによって液晶分子方向を変更することで、バックライトからの光の透過率を制御して画像を表示する。
【０００３】
このような液晶パネルに長時間固定パターンを表示し続けるとその部分の表示特性が変化してしまい、その周辺の表示部と輝度、コントラスト、色等が異なることが視認され、いわゆる焼き付き現象が発生する。特許文献１には、このような焼き付き現象を解消するための技術が提示されている。
【先行技術文献】
【特許文献】
【０００４】
【特許文献１】特開平１０−１０４９６号公報
【発明の概要】
【発明が解決しようとする課題】
【０００５】
しかしながら、特許文献１に記載された技術では、焼き付き現象を消失させるには液晶パネルを数時間、電源オフの状態にしておかなくてはいけない。しかし、撮像装置においては、頻繁に電源オンオフが行われるため、長時間液晶パネルを電源オフ状態としておくことができない。そのため、使用中は常に表示画面に焼き付き現象が発生する状態になる場合がある。
本発明は前述の問題点に鑑み、短時間で焼き付き現象を解消し、良好な表示を行うことができるようにすることを目的とする。
【課題を解決するための手段】
【０００６】
本発明の撮像装置は、撮像手段と、液晶パネルとバックライトとを有し、前記撮像手段より出力された画像信号と、所定の付加情報とを合成して前記液晶パネルに表示する表示手段と、前記画像信号と付加情報とを前記液晶パネルに表示している状態から、前記画像信号と前記付加情報とを共に表示しない状態に切り替えられた場合に、前記バックライトを消灯させ、前記バックライトを消灯させた状態で、所定時間、グレー画像に応じた透過率となるように前記液晶パネルの液晶素子を均一に駆動させ、その後、前記液晶パネルの駆動を停止する制御手段とを備えることを特徴とする。
【発明の効果】
【０００７】
本発明によれば、短時間で焼き付き現象を解消し、良好な表示を行うことができる。
【図面の簡単な説明】
【０００８】
【図１】本発明の実施形態におけるビデオカメラの構成例を説明する外観斜視図である。
【図２】本発明の実施形態におけるビデオカメラの構成を示すブロック図である。
【図３】スタンバイ状態に設定された際に行なわれるシステム制御部の動作を説明するフローチャートである。
【発明を実施するための形態】
【０００９】
以下に、本発明を実施するための形態について、添付の図面を用いて詳細に説明する。なお、以下の実施形態において示す構成は一例に過ぎず、本発明は図示された構成に限定されるものではない。
＜実施形態＞
図１に、本発明の撮像装置の一例であるビデオカメラの構成例を説明する外観斜視図を示す。
図１において、１はビデオカメラ本体、２はレンズ、３はＥＶＦ部、４は液晶表示部、５はヒンジ部である。６は電源スイッチ、７はＥＶＦスイッチ、８は録画ボタン、９はモード切り替スイッチ、１１は液晶パネル、１２は電池である。
【００１０】
本実施形態のビデオカメラは、ビデオカメラ本体１の前部にレンズ２、その側部に第１の表示手段である液晶表示部４、その後部に撮像された被写体の映像表示を行う第２の表示手段であるＥＶＦ部３を有する。
撮像された被写体の映像表示を行う第１の表示手段である液晶表示部４は、被写体側あるいは撮影者側に反転自在かつ撮像装置の側に開閉自在に設けられている。具体的には、この液晶表示部４は、再生映像や撮影映像を表示可能な液晶パネル１１、およびこの液晶パネル１１の後部に設けられた図示しない液晶バックライトを有するバックライト方式の液晶表示装置によって構成される。
【００１１】
そして、この液晶表示部４は、ヒンジ部５によりビデオカメラ本体１に取り付けられており、図１中の矢印Ａ方向に開閉自在であるとともに、図１中の矢印Ｂ方向に回動自在とされている。すなわち、液晶表示部４（液晶パネル１１）は、ビデオカメラ本体１に対し、ヒンジ部５に設けられた開閉軸を中心に開閉自在、かつこの開閉軸に対して直交するヒンジ部５に設けられた回動軸を中心に回動自在とされている。従って、液晶表示部４は被写体側あるいは撮影者側に反転自在である。
【００１２】
電池１２としては、ビデオカメラ本体１に脱着可能な二次電池が用いられる。電源スイッチ６は、ビデオカメラ本体１の電源をＯＮ／ＯＦＦ操作する切り替えスイッチである。また、モード切り替えスイッチ９は、カメラ記録モードと再生モードを切り替える切り替えスイッチである。また、録画ボタン８は、動画の撮影のスタート／ストップを行うスイッチである。ＥＶＦスイッチ７は、ＥＶＦ部３を独立制御によりオンオフ操作する切り替えスイッチである。
【００１３】
次に、本実施形態のビデオカメラにおけるシステム制御の構成について説明する。
図２に、本実施形態のビデオカメラの構成を説明するブロック図を示す。図２に示されるように、本実施形態のビデオカメラは、映像・音声入力部２４より撮影した画像データに対し必要な信号処理を行う映像・音声信号処理部２２、および信号処理された画像データを記録再生する画像メモリを備えた記録再生部２３を有する。
映像・音声入力部２４は、レンズなどの光学系や撮像素子などの撮像部を含み、被写体の画像を撮影し、画像信号を出力する。また、映像・音声入力部２４は、マイクを含み、周囲の音声を取得して音声信号を出力する。
【００１４】
映像・音声信号処理部２２は、撮像素子、Ａ／Ｄ変換器などを有する。
電池１２は、ビデオカメラ本体１（図２での点線枠で囲まれた部分）に電源供給し、システム制御部２１により各回路ブロックへ給電制御されるように構成されている。また、スタンバイ状態では、省電のためシステム制御部２１により最低必要回路ブロック以外の回路ブロックへの給電が停止されるように構成されている。
【００１５】
システム制御部２１には、液晶表示部４が撮像装置側に開閉している開閉状態を検出するための開閉検出スイッチ２６が接続されている。また、システム制御部２１には、液晶表示部４が被写体側あるいは撮影者側に反転している反転状態を検出する反転検出スイッチ２７が接続されている。
【００１６】
また、システム制御部２１には、液晶パネル（ＬＣＤパネル）１１が接続されており、液晶パネル１１に表示する画像の出力制御を行う。また、システム制御部２１には、液晶パネル１１の後部に設けられた液晶表示部４のバックライト１４の電流を制御する電源回路１５が接続されており、液晶表示部４のバックライト１４の制御を行う。さらに、前述した電源スイッチ６、モード切り替えスイッチ９、録画ボタン８が接続されている。
【００１７】
次に、前述した構成を有するビデオカメラのスイッチ操作による動作について説明する。
電源スイッチ６が押されると、システム制御部２１により、ビデオカメラ本体１に電源が供給され、ビデオカメラ本体１は動作を開始する。
ユーザによりモード切り替えスイッチ９が操作されてカメラ記録モードに設定されると、ビデオカメラは、レンズ２を介して入射する被写体の光信号を撮像素子により電気信号に変換して画像信号を得る。この画像信号は、映像・音声信号処理部２２で各種信号処理が行われると、液晶パネル１１およびＥＶＦパネル２５に表示される。
一方、撮影者が録画ボタン８を押すことで、記録再生部２３により、ビデオカメラ本体１の内部に装填された記録媒体に対して画像信号と音声信号が記録される。
【００１８】
次に、スタンバイ状態移行時における液晶表示部４の動作について説明する。
ユーザは、液晶表示部４を使用して撮影を行う。液晶パネル１１が撮影者側に向いている正転状態とされている際には、システム制御部２１が開閉検出スイッチ２６と反転検出スイッチ２７からの正転情報により、液晶パネル１１を制御して、撮影画面を表示させる。撮影者は、液晶パネル１１に表示された動画を見ながら撮影する。
【００１９】
液晶パネル１１の表示画面上には撮影画面とタイムコードやアイコン等の付加情報が合成されて表示される。そのため、長時間表示を継続させるとタイムコードやアイコンの固定パターンが焼き付きを起こす。
ユーザが液晶パネル１１をカメラ本体側に向いて閉じると、システム制御部２１は、開閉検出スイッチ２６と反転検出スイッチ２７からの情報により、カメラをスタンバイ状態に設定する。
【００２０】
ここで、スタンバイ状態に設定された際に行なわれるシステム制御部２１の動作を図３のフローチャートを参照しながら説明する。
Ｓ３０１において、スタンバイ状態に設定されると、Ｓ３０２において、システム制御部２１は、電源回路１５を制御して液晶表示部４のバックライト１４を消灯させ、撮影された画像信号と付加情報とを共に表示しない状態に切り替える。
撮影画像と付加情報とを表示しない状態に切り替えた後、Ｓ３０３において、システム制御部２１は、白５０％のグレーの画像に対応する透過率となるように、所定時間、例えば２分間、表示範囲にある液晶パネル１１の各画素を駆動する。
Ｓ３０４において、システム制御部２１により液晶パネル１１の駆動を停止する。液晶パネル１１の駆動を停止する場合、液晶パネル１１に対する電力供給が停止される。
本実施形態では、電力供給が停止された場合、液晶パネル１１は、例えば、各画素に対応した液晶素子が全て１００％の透過状態となる。
【００２１】
このように、液晶パネル１１の表示範囲内における液晶素子を、白５０％のグレー画像に対応する透過率となるように均一に駆動させることにより、液晶パネル１１を電源オフ状態とする場合に比べ、短い時間で焼き付きを解消することができる。液晶パネル１１に表示させる白レベルと表示時間は使用する液晶の種類、方式により異なるため、事前に測定し取得した焼き付きの消失時間が最短となる白レベルと消失時間により決定する。
【００２２】
また、スタンバイ状態から復帰する際は、ユーザは、液晶パネル１１を撮影者側に向いている正転状態に開く。システム制御部２１は、開閉検出スイッチ２６と反転検出スイッチ２７からの正転情報によりスタンバイ状態から復帰し、通常状態に設定される。
通常状態に設定されると、液晶パネル１１にはシステム制御部２１により撮影された動画が表示される。また、システム制御部２１が電源回路１５を制御してバックライト１４を点灯させる。
【００２３】
次に、撮影者がＥＶＦ部３を覗いて撮影するときの液晶表示部４の動作について説明する。
液晶パネル１１が撮影者側を向いた正転状態では、システム制御部２１が開閉検出スイッチ２６と反転検出スイッチ２７からの正転情報により、液晶パネル１１を点灯させる。液晶パネル１１の表示画面上には撮影画面とタイムコードやアイコンが表示される。そのため、長時間表示を継続させるとタイムコードやアイコンの固定パターンが焼き付きを起こす。
【００２４】
撮影者がＥＶＦ部３を覗いて撮影するときは、ＥＶＦスイッチ７をＯＮにしてＥＶＦパネル２５を点灯（表示にする）設定する。そして、撮影者はＥＶＦ部３を覗いて撮影するため、使用しない液晶パネル１１をカメラ本体側に向けて閉じる。ＥＶＦスイッチ７がＯＮに設定されており、液晶パネル１１が正転収納状態（正転閉止状態）とされた際には、システム制御部２１が電源回路１５を制御してバックライト１４を消灯させる。
【００２５】
システム制御部２１は、前述のように液晶パネル１１を制御して、白５０％のグレーの画像に対応する透過率となるように、所定時間、表示範囲の液晶素子を駆動した後、液晶パネル１１の駆動を停止する。このように、液晶パネル１１の駆動を停止する前に、グレー均一画像を表示することにより、液晶パネル１１の焼き付きを低減させる。
【００２６】
また、液晶パネル１１を使用して撮影する際は、液晶パネル１１を撮影者側に向いている正転状態に開く。すると、開閉検出スイッチ２６と反転検出スイッチ２７からの正転情報により、システム制御部２１が液晶パネル１１に通常の撮影画面を表示する。また、システム制御部２１が電源回路１５を制御してバックライト１４を点灯させる。
このように、本実施形態によれば、液晶パネル１１にグレー画像を表示することによって液晶パネル１１に生じた焼き付き現象を短時間で低減させることができるため、長期に渡って良好な表示を行うことができる。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
また、上述の実施形態では、液晶パネル１１に生じた焼き付き現象を低減させるために、画面全体にグレー均一画像を表示させたが、画面全体ではなく、画面の焼き付き現象の発生領域にグレー画像を表示させる場合も本発明に含まれる。
【００２８】
（その他の実施形態）
本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００２９】
１  ビデオカメラ本体
２  レンズ
３  ＥＶＦ部
４  液晶表示部
５  ヒンジ部
６  電源スイッチ
７  ＥＶＦスイッチ
８  録画ボタン
９  モード切り替スイッチ
１１  液晶パネル
１２  電池
１４  バックライト
１５  電源回路
【図１】
2017130879.tif 000003
【図２】
2017130879.tif 000004
【図３】
2017130879.tif 000005